(57)【要約】      （修正有）【課題】存在意義の希釈が進んだ身障者シンボルマークに併設して自制心の喚起を促すと共に、義務先行の心を芽生えさす装置を提供する。【解決手段】筺体４に身障者シンボルマーク７と当該マークの視認効果を高める電飾装置からなる電光サイン装置、地上又は進入物への映写を目的として光源にＬＥＤ８を用いたフィルム透過式又は液晶板透過式の映写装置、音声ＲＯＭを使用する音声発生装置、焦電センサー又は赤外線センサーを使用して自動車の入出庫を感知する検出装置及びこれらの装置を処理する中央処理装置１０を設置した。【選択図】図１
0003131514.tif 000002
【実用新案登録請求の範囲】
【請求項１】
筺体に身障者シンボルマークと当該マークの視認効果を高める電飾装置からなる電光サイン装置、地上又は進入物への映写を目的として光源にＬＥＤを用いたフィルム透過式又は液晶板透過式の映写装置、音声ＲＯＭを使用する音声発生装置、焦電センサー又は赤外線センサーを使用して自動車の入出庫を感知する検出装置及びこれらの装置を処理する中央処理装置を設置したことを特徴とする注意喚起信号機
【請求項２】
筺体に身障者シンボルマークと当該マークの視認効果を高める電飾装置からなる電光サイン装置、音声ＲＯＭを使用する音声発生装置、焦電センサー又は赤外線センサーを使用して自動車の入出庫を感知する検出装置及びこれらの装置を処理する中央処理装置を設置したことを特徴とする身障者優先信号機
【考案の詳細な説明】
【技術分野】
【０００１】  本考案は自制心の緩んだ健常者に自制心の喚起を促すための身障者優先信号機に関する。
【考案の開示】
【考案が解決しようとする課題】
【０００２】  国際シンボルマークの普及に伴って、身障者マークの意義の希釈が進み、健常者の自制心の弛緩を生むこととなってモラルの低下が蔓延している。そこで、本考案は存在意義の希釈が進んだ身障者シンボルマークに併設して自制心の喚起を促すと共に、義務先行の心を芽生えさすことを目的とする。
【課題を解決するための手段】
【０００３】  交通信号機のような信号機を見ると信号に従おうと体が反応する。従って、路面や壁面に描かれた２次元的な身障者マークに添える形で、交通信号機のような筺体を身障者専用駐車スペースに併設する。これによって、自制に向けた心の準備が条件反射的に整う。【０００４】  更に、その筺体に電飾サインと音声発生装置を設けて電光と音声にてここは身障者専用駐車スペースである旨の宣言が行われると、これによって、身勝手な権利による振る舞いから、ここに駐車してはいけないのでどこかに移動しようとする心の変化が起こり義務の先行が実行される。【０００５】  更に、地上又は進入物への映写を目的とする映写装置を設けて、身障者専用駐車スペースの路面や進入車両のボディに、身障者専用駐車スペースであることを示す画像を映写させる。これによって、敢えて光を遮ってまで進入しようとはしなくなるし、ボディに画像を映写されたままでは自責の念を抑えきれない。又、周囲からの目撃も気になって自制行動を行うこととなる。
【考案の効果】
【０００６】  交通インフラの中で条件反射的に躾けられた自制心とその自制心の芽生えに勇気を与えるビジュアル的な宣言手法によって、身障者マークの意義が高まり、自制心の弛緩から生まれるモラル低下を防止でき、身障者専用駐車スペースを健常者が身勝手に利用することが無くなる。
【考案を実施するための最良の形態】
【０００７】  そこで、本考案は筺体に身障者シンボルマークと当該マークの視認効果を高める電飾装置からなる電光サイン装置、地上又は進入物への映写を目的として光源にＬＥＤを用いたフィルム透過式又は液晶板透過式の映写装置、音声ＲＯＭを使用する音声発生装置、焦電センサー又は赤外線センサーを使用して自動車の入出庫を感知する検出装置及びこれらの装置を処理する中央処理装置を設置したことを特徴とする身障者優先信号機とした。【０００８】  又、筺体に身障者シンボルマークと当該マークの視認効果を高める電飾装置からなる電光サイン装置、音声ＲＯＭを使用する音声発生装置、焦電センサー又は赤外線センサーを使用して自動車の入出庫を感知する検出装置及びこれらの装置を処理する中央処理装置を設置したことを特徴とする身障者優先信号機とした。
【実施例】
【０００９】  図１において、１は身障者優先信号機を懸架するポールである。２はポールのアームであり、そのアームの先端が前記信号機を懸架するアダプター３である。４は身障者優先信号機の筺体であり、実施例図１で示すように当該筺体４をキューブ形状とする。当該筺体は交通信号機のような感覚で注目されることとなる。筺体４の上面にはジョイント板５を設ける。該ジョイント板５は前記アダプター３に装着される。両者は締め付けピンで枢着した後、適宜の取付角度にて締め付けトルクを得て固定されるものである。取付角度はポール２の設置位置と駐車スペースとの関係で視認効果の上がる向きに依存する。【００１０】  筺体４の左右側面には通気口６を設ける。当該通気口６はＬＥＤの発熱を逃がすためのものである。【００１１】  筺体４の正面には身障者シンボルマーク７をシルク印刷すると共に、そのシンボルマークをアウトライン化する多孔を穿設して、この孔にＬＥＤ８の先端の一部をのぞかせる。身障者シンボルマークのアウトラインを形成する一群のＬＥＤ８は内部においてＬＥＤ用基盤９に電装している。当該ＬＥＤ用基盤９は中央処理装置用基盤１０に回路する。【００１２】  図２において、筐体４の背面にはメンテナンス用の点検口１１を設ける。点検口１１の内側に中央処理装置用基盤１０を配設する。該基盤１０の点検口１１側にはスイッチ１２、スイッチ１３、音声ボリュームつまみ１４及びディレーつまみ１５を設ける。音声ボリュームつまみ１４を回すと音声の音量が変わるように仕組みを設ける。ディレーつまみ１５を回すとセンサー感知から音声が流れ始めるまでの時間を調節できるように仕組みを設ける。スイッチ１２とスイッチ１３のＯＮとＯＦＦの操作の組み合わせは４通りなので、例えば、スイッチ１２とスイッチ１３がそれぞれＯＦＦ・ＯＦＦの場合にはセンサー感知でＬＥＤの点滅のみが動作し、ＯＦＦ・ＯＮの場合は音声１回流し動作、ＯＮ・ＯＦＦの場合は音声２回流し動作、ＯＮ・ＯＮの場合は音声３回流し動作という具合に機能を選択できる仕組みを設ける。【００１３】  図３乃至図４において、中央処理装置用基盤１０の裏面にはＩＣ１６、音声ＲＯＭ１７、アンプ・変圧器１８その他処理回路に必要な回路部品を設置する。１９は電源プラグに続く線である。
尚、点検口１１には蓋２０が被さる。【００１４】  筺体４の底面にはスピーカー２１のラッパ、焦電式赤外線センサー２２及びフィルム透過式又は液晶板透過式の映写装置２３のレンズをのぞかせる。内部において、前記スピーカー２１、センサー２２及び映写装置２３は中央処理装置用基盤１０に回路する。焦電式赤外線センサー２２は身障者専用駐車スペースに車両が進入したことを検知し、スピーカー２１は音声ＲＯＭを音源として中央処理装置の作用により、この場所が身障者優先駐車スペースであることを音声で発する。フィルム透過式又は液晶板透過式の映写装置２３はＬＥＤを光源とするものであり、路面や車両に向けて映像を投射する。【００１５】  本考案による身障者優先信号機の作動手順の一実施例としては、身障者シンボルマークのアウトラインを形成する一群のＬＥＤが点灯（待機時）。その後、既述のセンサーが車両を感知すると前記一群のＬＥＤが点滅に変わる（入庫時）と共にスピーカーからアナウンスの音声が流れ始める。設定回数だけアナウンスが流れた後、ＬＥＤの点滅は待機状態の点灯に変わりセンサーが停止する。車両が出庫するとセンサーが再稼働する。
尚、映写装置の作動は上記基本的な作動手順を踏まえてアレンジすると良い。
【産業上の利用可能性】
【００１６】  本考案による技術的思想の創作を構成する物品は産業上の利用可能性が自明であり、本物品の開示により産業の発展に寄与する。
【図面の簡単な説明】
【００１７】
【図１】  設置状況を示す斜視図である。
【図２】  正面方向から見た斜視図である。
【図３】  内部の様子を示す斜視図である。
【図４】  背面の様子を示す背面図である。
【符号の説明】
【００１８】  １  ポール
２  アーム
３  アダプター
４  筺体
５  ジョイント板
６  通気口
７  身障者シンボルマーク
８  ＬＥＤ
９  ＬＥＤ用基盤
１０  中央処理装置用基盤
１１  点検口
１２  スイッチ
１３  スイッチ
１４  音声ボリュームつまみ
１５  ディレーつまみ
１６  ＩＣ
１７  ＲＯＭ
１８  アンプ・変圧器
１９  電源プラグに続く線
２０  蓋
２１  スピーカーのラッパ
２２  焦電式赤外線センサー
２３  フィルム透過式又は液晶板透過式の映写装置
【図１】
0003131514.tif 000003
【図２】
0003131514.tif 000004
【図３】
0003131514.tif 000005
【図４】
0003131514.tif 000006
【手続補正書】
【提出日】平成19年1月25日(2007.1.25)
【手続補正１】
【補正対象書類名】実用新案登録請求の範囲
【補正対象項目名】全文
【補正方法】変更
【補正の内容】
【実用新案登録請求の範囲】
【請求項１】
筺体に身障者シンボルマークを描くと共に当該マークの視認効果を高めるためにそのマークをＬＥＤで電飾してなる電光サイン装置と、地上又は進入物への映写を目的として光源にＬＥＤを用いたフィルム透過式又は液晶板透過式の映写装置と、音声ＲＯＭを使用してスピーカーからメッセージを発生させる音声発生装置と、焦電センサー又は赤外線センサーを使用して自動車の入出庫を感知する検出装置と、これら電光サイン装置と、映写装置と、音声発生装置と、検出装置とを電気的につなげて処理する中央処理装置とを収納せしめたことを特徴とする身障者優先信号機。
【請求項２】
筺体に身障者シンボルマークを描くと共に当該マークの視認効果を高めるためにそのマークをＬＥＤで電飾してなる電光サイン装置と、音声ＲＯＭを使用してスピーカーからメッセージを発生させる音声発生装置と、焦電センサー又は赤外線センサーを使用して自動車の入出庫を感知する検出装置と、これら電光サイン装置と、音声発生装置と、検出装置とを電気的につなげて処理する中央処理装置とを収納せしめたことを特徴とする身障者優先信号機。